(57)【要約】【課題】  本発明は、簡易にまた容易に通信アドレスを設定することができる制御システムの操作端末器にを提供する。【解決手段】  本発明に係るスイッチユニット１３は、複数の照明機器の動作を制御し得る監視制御装置に接続する一対の信号線から成る通信線に接続するためのＳＷＵ通信端子部３１と、ＳＷＵ通信端子部３１及び通信線を介して監視制御装置と通信を行うＳＷＵ送受信部３２と、入力操作を受付ける一方向に並んだ複数のスイッチ素子３４１を含む入力部３４と、一方向の並び順及びこの並び順とは逆順のうちの何れか一方で複数のスイッチ素子３４１のそれぞれに通信アドレスを設定する切替部３７及び割当部３３２と、スイッチ素子３４１が操作された場合にこのスイッチ素子３４１の通信アドレスに対応する負荷機器の動作を制御するための信号をＳＷＵ送受信部３２から監視制御装置へ送信するＳＷＵ制御部３３とを備える。【選択図】      図３
2006254151.tif 000002
【特許請求の範囲】
【請求項１】
複数の負荷機器の動作を制御し得る制御装置に接続する一対の信号線から成る通信線に接続するための通信端子部と、
前記通信端子部及び前記通信線を介して前記制御装置と通信を行う送受信部と、
入力操作を受付ける一方向に並んだ複数のスイッチ素子と、
前記一方向の並び順及び前記一方向の並び順とは逆順のうちの何れか一方で前記複数のスイッチ素子のそれぞれに通信アドレスを設定するアドレス設定部と、
前記スイッチ素子が操作された場合に該スイッチ素子の通信アドレスに対応する負荷機器の動作を制御するための信号を前記送受信部から前記制御装置へ送信する制御部とを備えること
を特徴とする制御システムの操作端末器。
【請求項２】
前記アドレス設定部は、
前記複数のスイッチ素子のそれぞれに設定する通信アドレスを前記一方向の並び順で設定するか前記一方向の並び順とは逆順で設定するかを切替える切替部と、
前記切替部の設定に応じて前記複数のスイッチ素子のそれぞれに通信アドレスを割り当てる割当部とを備えること
を特徴とする請求項１に記載の制御システムの操作端末器。
【請求項３】
前記通信端子部は、３個の端子から成り、
前記アドレス設定部は、前記通信線が接続する前記通信端子部の端子における組合せに応じて、前記一方向の並び順及び前記一方向の並び順とは逆順のうちの何れか一方で前記複数のスイッチ素子のそれぞれに通信アドレスを設定すること
を特徴とする請求項１に記載の制御システムの操作端末器。
【請求項４】
請求項１乃至請求項３の何れか１項に記載の制御システムの操作端末器における前記通信端子部、前記送受信部、前記複数のスイッチ素子、前記アドレス設定部及び前記制御部を有する回路基板を備えた略平板状のボディと、
前記ボディの前面にあって弾性変形することにより前記複数のスイッチ素子をそれぞれ押圧する複数の操作片を有するカバーと、
前記カバーの前面にあって前記複数の操作片にそれぞれ対応して開口した複数の挿通口を有する化粧カバーと、
前記化粧カバーの前面にあって前記複数の操作片をそれぞれ操作することができるように厚み方向に可撓性を有する複数の操作部を備えた略シート状の銘板と、
前記化粧カバーと前記銘板との間に保持されるネームシートとを備え、
前記化粧カバーは、前記ネームシートを２方向から挿入するための２個の挿入口をさらに有すること
を特徴とする制御システムの操作端末器。
【発明の詳細な説明】
【技術分野】
【０００１】
本発明は、照明器具等の複数の負荷機器と該複数の負荷機器を制御する制御装置とを備える制御システムに用いられ、負荷機器の動作を制御するための信号を該制御装置に送信する複数のスイッチ素子を備えた制御システムの操作端末器に関する。
【背景技術】
【０００２】
例えば照明機器等の負荷機器をオンオフ制御する場合、分電盤から負荷機器までの間の電力線に片切りスイッチ等のスイッチを設けることによってオンオフ制御することが可能である。しかしながら、負荷機器の個数が多くなると、電力線を多数引き回す必要があり、施工性及び保守管理性等が悪くなる。また、複数の照明機器を１つのグループに纏めてオンオフ制御するグループ制御や、グループ単位で所定のパターンで制御するパターン制御等の制御を行うことに対しても好ましくない。そのため、分電盤と負荷機器との間に、リレーと、監視制御子機と、監視制御親機と、操作スイッチとを設けた監視制御システムが開発されており、例えば、非特許文献１に開示されている。
【０００３】
図９は、非特許文献１に係る照明監視制御システムの構成を示すブロック図である。図９において、この照明監視制御システム５００は、負荷機器の一例である１又は複数の照明機器５０１と、照明機器５０１に対応して設けられたリモコンリレー５０２と、１又は複数のターミナルユニット（以下、「Ｔ／Ｕ」と略記する。）５０３と、伝送ユニット５０４と、スイッチユニット５０５とを備えて構成され、Ｔ／Ｕ５０３と伝送ユニット５０４とスイッチユニット５０５とは、一対の信号線から成る共通な通信線５０６によって互いに通信可能に接続されている。図９に示す例では、８個の照明機器５０１−１〜５０１−８が示されており、これに応じて８個のリモコンリレー５０２−１〜５０２−８が備えられている。ここで、本明細書において、総称する場合には添え字を省略した参照符号で示し、個別の構成を指す場合には添え字を付した参照符号で示す。
【０００４】
リモコンリレー５０２は、Ｔ／Ｕ５０３の制御によって電力線から照明機器５０１へ供給される電力をオンオフすると共に、そのオンオフの動作状態（オンオフ状態）を照明機器５０１の点消灯の動作状態（点消灯状態）としてＴ／Ｕ５０３へ出力するリレーである。
【０００５】
Ｔ／Ｕ５０３は、通信線５０６を介して伝送ユニット５０４から受信した信号に応じてリモコンリレー５０２を個別にオンオフ制御すると共にリモコンリレー５０２のオンオフ状態（言い換えれば、照明機器５０１の点消灯状態）を通信線５０６を介して伝送ユニット５０４に送信する監視制御子機である。Ｔ／Ｕ５０３は、１又は複数のリモコンリレー５０２を駆動可能に構成されており、図９に示す例では、１個のＴ／Ｕ５０３が４個のリモコンリレー５０４を駆動可能であることから、この照明監視制御システム５００は、リモコンリレー５０１−１〜５０１−４を駆動するＴ／Ｕ５０３−１と、リモコンリレー５０１−５〜５０１−８を駆動するＴ／Ｕ５０３−２とを備えている。
【０００６】
スイッチユニット５０５は、操作者によって操作（オンオフ操作）等が行われると共に照明機器５０１の点消灯状態を表示する操作表示端末であり、例えば、操作者の操作を受付ける１又は複数（図９では８個）のスイッチＳＷ（ＳＷ−１〜ＳＷ−８）と、スイッチＳＷに近接して設けられ、点消灯状態を表示する例えば発光ダイオード等の発光素子を備える表示部ＤＳ（ＤＳ−１〜ＤＳ−８）とを備えて構成される。そして、各スイッチＳＷには、スイッチＳＷのアドレス（スイッチアドレス）がそれぞれ割り付けられており、スイッチＳＷが操作されると当該操作が為された旨の通知（スイッチ状態）及び自機のアドレスとを含む信号を通信線５０６を介して伝送ユニット５０４に送信するようにされており、各スイッチＳＷによって、各照明機器５０１を個別に制御したり、グループ制御したり、パターン制御したりというような多様な制御が可能になっている。
【０００７】
伝送ユニット５０４は、スイッチユニット５０５から通信線５０６を介して送信された信号に応じてＴ／Ｕ５０３及びリモコンリレー５０２を介して照明機器５０１の通電を制御すると共に照明機器５０１のオンオフ状態を監視する監視制御親機である。伝送ユニット５０４は、スイッチユニット５０５の各スイッチＳＷのスイッチアドレスと、各照明機器５０１に割り付けられた照明機器５０１のアドレス（負荷アドレス）とを対応付ける対応テーブル、及び、リモコンリレー５０２のオンオフ状態（照明機器５０１の点消灯状態）を示す動作状態テーブルを記憶している。スイッチユニット５０５のスイッチＳＷが操作者によって操作され当該スイッチＳＷのスイッチアドレスを含む信号を受信すると、伝送ユニット５０４は、スイッチアドレスに基づいて対応テーブルから制御対象の１又は複数の照明機器５０１を検索し、この検索した照明機器５０１の現在の動作状態を動作状態テーブルから検索し、そして、この照明機器５０１を現在の動作状態とは逆の動作状態となるようにこの照明機器５０１に対応するリモコンリレー５０２をオンオフ制御することによって照明機器５０１の通電を制御する。負荷アドレスは、例えば、Ｔ／Ｕ５０３に割り当てられた番号（負荷チャンネル）と、リモコンリレー５０２を接続するＴ／Ｕ５０３の接続端子（接続ポート）に割り当てられた番号（負荷ナンバー）とから構成されている。
【０００８】
通信線５０６を伝送する上記信号について説明すると、伝送ユニット５０４からＴ／Ｕ５０３及びスイッチユニット５０５へ送信される信号は、例えば、図１０（Ａ）に示すように、信号送出開始を示すスタートパルス信号ＳＴと、信号モードを示すモードデータ信号ＭＤと、各Ｔ／Ｕ５０３及びスイッチユニット５０５を呼出す８ビットのアドレスデータ信号ＡＤと、負荷機器を制御するための制御データ信号ＣＤと、誤り制御のためのチェックサムデータ信号ＣＳと、Ｔ／Ｕ５０３及びスイッチユニット５０５からの返信待機信号ＷＴとを備えて構成されている±２４Ｖの交流の時分割多重信号であり、パルス幅変調によってデータが伝送されるようになっている。
【０００９】
一方、各Ｔ／Ｕ５０３およびスイッチユニット５０５では、通信線５０６を介して伝送された上記信号のアドレスデータ信号ＡＤと自機に予め設定されているアドレスとを比較し、一致する場合にその信号の制御データ信号ＣＤを取込むと共に、返送待機信号ＷＴの期間に、スイッチ状態、監視データ、負荷動作確認データなどの監視データ信号を、通信線５０６間に低抵抗を接続して得られる電流モードの信号で返信する。このような動作を、予め定める周期毎に各スイッチユニット５０５及びＴ／Ｕ５０３に対して行っている。また、スイッチユニット５０５やＴ／Ｕ５０３から送信すべきデータが生じると、スイッチユニット５０５やＴ／Ｕ５０３は、図１０（Ｂ）で示すように、スタートパルス信号ＳＴに同期した割り込み信号Ｖｉを伝送ユニット５０４に送信する。伝送ユニット５０４では、この割込み信号Ｖｉを受信すると、モードデータ信号ＭＤをアドレス確認モードに設定した信号を通信線５０６に送信することにより、この割り込み信号Ｖｉを発生させた端末（スイッチユニット５０５やＴ／Ｕ５０３）を検出してアクセスし、監視データ信号を返信させる。
【００１０】
このような通信を行うためには、上述したようにスイッチユニット５０５の各スイッチＳＷ−１〜ＳＷ−８に通信アドレスとしてのスイッチアドレスをそれぞれ割り付ける必要があるが、この割付けは、専用の設定ツール６０１（図９参照）を用いていた。この設定ツール６０１は、例えば、ＬＣＤ等の表示部６１１と、スイッチアドレス等を入力する入力部６１２と、光信号を送受信する光信号送受信部６１３と、これらを当該機能に応じて制御する例えばマイクロコンピュータ等の制御部とを備えて構成され、設定ツール６０１の光信号送受信部６１３をスイッチユニット５０５に設けられた光信号送受信部Ｗに近接させ、入力部６１２から入力されたスイッチアドレスを含む光信号をスイッチユニット５０５に送信することによってスイッチアドレスをスイッチユニット５０５の記憶部に記憶させて各スイッチＳＷのスイッチアドレスを設定していた。
【００１１】
一方、このような照明監視制御システム５００に用いられるスイッチユニット５０５の他の例が例えば特許文献１に開示されている。この特許文献には、操作に基づき操作データを発生するもので、中央制御装置としての伝送ユニット及び負荷の動作を制御する制御用端末器と２線式の信号線を介して接続され、伝送ユニットが各端末器を特定するアドレスデータを含む伝送信号を時分割で伝送して各端末器を個別にアクセスすることにより、操作データに応じて負荷の動作制御を行う遠隔監視制御システムの操作用端末器であって、スイッチ素子を有する回路基板を備えた略平板状のボディと、該ボディの前面にあって弾性変形することによりスイッチ素子を適宜押圧する操作片を有するカバーと、該カバーの前面にあって操作片に対応して開口した挿通部を有する化粧カバーと、該化粧カバーの前面にあって操作片を操作できるように厚み方向に可撓性を有する略矩形状の操作部を備えた略シート状の銘板と、を具備する操作用端末器において、前記化粧カバーの挿通部において、銘板の操作部の略中央に対応する部分が略円形形状に開口するように形成した遠隔監視制御システムの操作用端末器が開示されている。
【非特許文献１】「多重伝送  フル２線式リモコン」、松下電工株式会社、２００４年５月、ＷＷＣＴ１Ｂ１８６、ｐ１６、ｐ４７、ｐ４８
【特許文献１】特開平９−０１８９６９号公報
【発明の開示】
【発明が解決しようとする課題】
【００１２】
ところで、背景技術では、スイッチアドレスの設定は、設定ツール６０１を用いる必要があった。そのため、施工者等のユーザには、設定ツール６０１を使いこなす一定のスキルが要求されていた。また、設定ツール６０１を用意する必要もあった。
【００１３】
本発明は、上述の事情に鑑みて為された発明であり、簡易に、また、容易に通信アドレスを設定することができる制御システムの操作端末器を提供することを目的とする。
【課題を解決するための手段】
【００１４】
上述の目的を達成するために、本発明の一態様に係る制御システムの操作端末器は、複数の負荷機器の動作を制御し得る制御装置に接続する一対の信号線から成る通信線に接続するための通信端子部と、前記通信端子部及び前記通信線を介して前記制御装置と通信を行う送受信部と、入力操作を受付ける一方向に並んだ複数のスイッチ素子と、前記一方向の並び順及び前記一方向の並び順とは逆順のうちの何れか一方で前記複数のスイッチ素子のそれぞれに通信アドレスを設定するアドレス設定部と、前記スイッチ素子が操作された場合に該スイッチ素子の通信アドレスに対応する負荷機器の動作を制御するための信号を前記送受信部から前記制御装置へ送信する制御部とを備えることを特徴とする。
【００１５】
そして、上述の制御システムの操作端末器において、前記アドレス設定部は、前記複数のスイッチ素子のそれぞれに設定する通信アドレスを前記一方向の並び順で設定するか前記一方向の並び順とは逆順で設定するかを切替える切替部と、前記切替部の設定に応じて前記複数のスイッチ素子のそれぞれに通信アドレスを割り当てる割当部とを備えることを特徴とする。
【００１６】
また、上述の制御システムの操作端末器において、前記通信端子部は、３個の端子から成り、前記アドレス設定部は、前記通信線が接続する前記通信端子部の端子における組合せに応じて、前記一方向の並び順及び前記一方向の並び順とは逆順のうちの何れか一方で前記複数のスイッチ素子のそれぞれに通信アドレスを設定することを特徴とする。
【００１７】
さらに、本発明の他の一態様に係る制御システムの操作端末器において、これら上述の制御システムの操作端末器の何れかにおける前記通信端子部、前記送受信部、前記複数のスイッチ素子、前記アドレス設定部及び前記制御部を有する回路基板を備えた略平板状のボディと、前記ボディの前面にあって弾性変形することにより前記複数のスイッチ素子をそれぞれ押圧する複数の操作片を有するカバーと、前記カバーの前面にあって前記複数の操作片にそれぞれ対応して開口した複数の挿通口を有する化粧カバーと、前記化粧カバーの前面にあって前記複数の操作片をそれぞれ操作することができるように厚み方向に可撓性を有する複数の操作部を備えた略シート状の銘板と、前記化粧カバーと前記銘板との間に保持されるネームシートとを備え、前記化粧カバーは、前記ネームシートを２方向から挿入するための２個の挿入口をさらに有することを特徴とする。
【発明の効果】
【００１８】
このような構成の制御システムの操作端末器は、設定ツールを必要とすることなく、アドレス設定部によって簡易にまた容易に通信アドレスを設定することができる。
【発明を実施するための最良の形態】
【００１９】
以下、本発明に係る実施形態を図面に基づいて説明する。なお、各図において同一の符号を付した構成は、同一の構成であることを示し、その説明を省略する。
（第１の実施形態の構成）
図１は、実施形態に係る監視制御システムの構成を示す図である。図２は、実施形態に係る監視制御装置の電気的な構成を示すブロック図である。図３は、第１の実施形態に係るスイッチユニットの電気的な構成を示すブロック図である。図４は、第１の実施形態に係るスイッチユニットの分解斜視図である。図５は、第１の実施形態に係るスイッチユニットにおける化粧カバーの背面図及び背面斜視図である。図５（Ａ）は、化粧カバーの背面図であり、図５（Ｂ）は、化粧カバーの背面斜視図である。
【００２０】
図１において、監視制御システム１は、制御装置の一例である監視制御装置１１と、リレーの一例である１又は複数のリモコンリレー１２と、負荷機器の一例である１又は複数の照明機器５０１と、操作端末器の一例であるスイッチユニット１３とを備えて構成され、監視制御装置１１とスイッチユニット１３とは、一対の信号線から成る通信線５０６によって互いに通信可能に接続されている。この図１に示す例では、７個の照明機器５０１−１〜５０１−７が監視制御システム１に備えられており、これに応じて７個のリモコンリレー１２−１〜１２−７が監視制御装置１１に装着されている。また、リモコンリレー１２−８によってリモコンリレー１２を監視制御装置１１に装着する様子が示されている。なお、この実施形態において、背景技術に係る構成と同様の構成は、同一の符号を付しており、その説明を省略する。
【００２１】
監視制御装置１１は、スイッチユニット１３から通信線５０６を介して送信された監視データ信号に応じてリモコンリレー１２を個別にオンオフ制御することによりリモコンリレー１２を介して照明機器５０１の通電を制御すると共に、リモコンリレー１２のオンオフの動作状態（オンオフ状態）（言い換えれば、照明機器５０１の点消灯の動作状態（点消灯状態））を個別に監視する装置である。監視制御装置１１は、言わば、少なくとも背景技術に係る伝送ユニット５０４の機能とＴ／Ｕ５０３の機能とを兼ね備えた装置となっている。そのため、背景技術に係る伝送ユニット５０４及びＴ／Ｕ５０３を用いた監視制御システム５００よりも本発明に係る監視制御装置１１を用いた監視制御システム１の方が設置面積を要せず設置場所の自由度が向上している。また、伝送ユニット５０４とＴ／Ｕ５０３との間の通信線５０６や伝送ユニット５０４及びＴ／Ｕ５０３への個別の電力線を配線する必要がないので、本発明に係る監視制御システム１の方がより簡単に施工することができ、また、配線ミスも抑制される等の施工性が向上している。
【００２２】
このような監視制御装置１１の電気的な構成は、例えば、図２に示すように、受電端子部２１と、電源部２２と、電圧検出部２３と、リレー制御用電源部２４と、監視制御装置送受信部（以下、「ＳＣ送受信部」と略記する。）２５と、監視制御装置通信端子部（以下、「ＳＣ通信端子部」と略記する。）２６と、１又は複数のリレー処理部２７と、監視監視制御装置制御部（以下、「ＳＣ制御部」と略記する。）２８と、監視制御装置記憶部（以下、「ＳＣ記憶部」と略記する。）２９とを備えて構成される。
【００２３】
受電端子部２１は、電力の供給を受けるべく、電力線を接続するための端子であり、３個の端子２１−１〜２１−３を備えて構成される。電源部２２は、不図示の電源スイッチのオンオフに応じて受電端子部２１から電圧の供給を受け、この供給された電圧を整流及び降圧することにより５Ｖや２４Ｖ等の予め定める低電圧に安定化させて、リレー制御用電源部２４、ＳＣ送受信部２５、ＳＣ制御部２８及びＳＣ記憶部２９等の監視制御装置１１における電力を必要とする各部に供給する回路である。電圧検出部２３は、電源部２２からＳＣ制御部２８へ供給される電圧値を検出しその検出値をＳＣ制御部２８に出力する回路である。リレー制御用電源部２４は、電源部２２から供給された電圧をリモコンリレー１２を制御するために必要な電圧値に安定化させてリレー処理部２７を介してリモコンリレー１２に供給する回路である。ＳＣ送受信部２５は、通信線５０６を介してスイッチユニット１３と通信を行う回路である。ＳＣ通信端子部２６は、通信線５０６における一対の信号線を接続するための端子であり、２個の端子２６−１、２６−２を備える。
【００２４】
監視制御装置１１とスイッチユニット１３との間の通信における上記信号は、図１０に示す背景技術の信号と同様である。即ち、監視制御装置１１からスイッチユニット１３へ送信される信号は、図１０（Ａ）に示すように、スタートパルス信号ＳＴと、モードデータ信号ＭＤと、アドレスデータ信号ＡＤと、制御データ信号ＣＤと、チェックサムデータ信号ＣＳと、スイッチユニット１４からの返信待機信号ＷＴとを備えて構成されている±２４Ｖの交流の時分割多重信号であり、パルス幅変調によってデータが伝送されるようになっている。一方、スイッチユニット１３では、通信線５０６を介して伝送された上記信号のアドレスデータ信号ＡＤと自機に予め設定されているアドレスとを比較し、一致する場合にその信号の制御データ信号ＣＤを取込むと共に、返送待機信号ＷＴの期間に、スイッチ状態、監視データ、負荷動作確認データなどの監視データ信号を、通信線５０６間に低抵抗を接続して得られる電流モードの信号で返信する。送受信部２５は、制御部２８の制御に基づいてこのような動作を、予め定める周期毎にスイッチユニット１３に対して行っており、また、スイッチユニット１３から送信すべきデータが生じると、スイッチユニット１３は、図１０（Ｂ）で示すように、スタートパルス信号ＳＴに同期した割り込み信号Ｖｉを監視制御装置１１に送信する。監視制御装置１１では、この割込み信号Ｖｉを受信すると、モードデータ信号ＭＤをアドレス確認モードに設定した信号を通信線５０６に送信することにより、この割り込み信号Ｖｉを発生させたスイッチユニット１３を検出してアクセスし、監視データ信号を返信させる。
【００２５】
リレー処理部２７は、リモコンリレー１２が接続され、ＳＣ制御部２８の制御に基づきリモコンリレー１２をオンオフ駆動し、リモコンリレー１２のオンオフ状態（言い換えれば、照明機器５０１の点消灯状態）を検出してＳＣ制御部２８に通知する。そして、リレー処理部２７には、リレー処理部２７を特定し識別するための番号（回路番号）が予め設定されており、例えば、リレー処理部２７−１〜２７−８のそれぞれに１〜８の回路番号が設定される。ＳＣ制御部２８は、例えばマイクロプロセッサ及びその周辺回路を備えて構成され、監視制御装置１１における各部の当該機能に応じた制御を司るもので、スイッチユニット１３から通信線５０６を介して送信された監視データ信号に応じてリレー処理部２７によってリモコンリレー１２を個別にオンオフ駆動することで照明機器５０１の通電を制御すると共に、リレー処理部２７によってリモコンリレー１２のオンオフ状態を個別に監視する回路である。ＳＣ記憶部２９は、リモコンリレー１２の制御を行うリモコンリレー制御プログラム等の各種プログラム、及び、アドレス情報や制御情報等の各種プログラムの実行に必要なデータやその実行中に生じるデータ等の各種データを記憶する。アドレス情報は、各照明機器５０１に割り付けられた照明機器５０１のアドレス（負荷アドレス）とスイッチユニット１３の各スイッチ素子３４１（図３及び図４参照）のスイッチアドレスとの対応関係を示す情報であり、負荷アドレスごとに生成される。制御情報は、負荷アドレスと当該負荷アドレスの照明機器５０１における制御目標との対応関係を示す情報であり、負荷アドレスごとに生成される。負荷アドレスは、本実施形態では、リレー処理部２７に予め設定されている上記回路番号である。
【００２６】
また、図１に戻って、リモコンリレー１２は、監視制御装置１１の制御によって電力線から照明機器５０１への通電をオンオフし、そのオンオフ状態を照明機器５０１の点消灯状態として監視制御装置１１へ出力する。リモコンリレー１２は、例えば、監視制御装置１１に電気的に接続する端子と、端子から入力された制御信号に応じて照明機器５０１への通電をオンオフするリレー回路と、リレーのオンオフ状態を端子に出力する回路と、監視制御装置１１に係合するための係合爪とを備え、監視制御装置１１に着脱可能に構成されている。リモコンリレー１２は、監視制御装置１１に端子で直接接続するので、リモコンリレー１２と監視制御装置との間の配線が不要であるから、本発明に係る監視制御システム１の方がより簡単に施工することができ、また、配線ミスも抑制される等の施工性が向上している。
【００２７】
スイッチユニット１３は、操作者によって操作（オンオフ操作）等が行われると共に照明機器５０１の点消灯状態を表示する監視制御システム１の操作端末器である。スイッチユニット１３は、例えば、図３に示すように、スイッチユニット通信端子部（以下、「ＳＷＵ通信端子部」と略記する。）３１と、スイッチユニット送受信部（以下、「ＳＷＵ送受信部」と略記する。）３２と、スイッチユニット制御部（以下、「ＳＷＵ制御部」と略記する。）３３と、入力部３４と、リセット部３５と、スイッチユニット記憶部（以下、「ＳＷＵ記憶部」と略記する。）３６と、切替部３７と、表示部３８とを備えて構成される。
【００２８】
ＳＷＵ通信端子部３１は、監視制御装置１１に接続する通信線５０６における一対の信号線を接続するための端子であり、２個の端子３１−１、３１−２を備えて構成される。ＳＷＵ送受信部３２は、通信線５０６を介して監視制御装置１１と通信を行う回路であり、ＳＷＵ制御部３３からのデータに基づいて上記フォーマットの信号を生成して通信線５０６へ送出すると共に通信線５０６からの上記フォーマットの信号をＳＷＵ制御部３３が処理可能な形式のデータに変換する。リセット部３５は、システム起動時等にＳＷＵ制御部３３をリセットする。
【００２９】
入力部３４は、操作者による操作を受付けこの操作を受付けた旨をＳＷＵ制御部３３に出力する回路であり、一方向に並んだ複数のスイッチ素子３４１及びその周辺回路を備えて構成される。スイッチ素子３４１は、例えば、押し釦スイッチやタクトスイッチ等である。スイッチ素子３４１の個数は、仕様により決定され、本実施形態では、８個の入力操作を受付け可能とすることから、８個のスイッチ素子３４１−１〜３４１−８を備えている。
【００３０】
表示部３８は、ＳＷＵ制御部３３の制御に基づいて、各スイッチ素子３４１−１〜３４１−８に対応する操作状態（オンオフ状態）をそれぞれ表示するための回路である。表示部３８は、例えば、各スイッチ素子３４１−１〜３４１−８に対応してそれぞれ設けられた８個の発光素子３８１−１〜３８１−８及びその周辺回路を備えて構成される。発光素子３８１は、例えば、発光ダイオード等が用いられ、例えばオン状態の場合では赤でオフ状態の場合では緑でというように、操作状態に応じて発光色が変更可能に構成される。
【００３１】
ＳＷＵ制御部３３は、例えばマイクロプロセッサ及びその周辺回路を備えて構成され、スイッチユニット１３における各部の当該機能に応じた制御を司るもので、機能的に、切替部３７の設定に応じてスイッチ素子３４１−１〜３４１−８のそれぞれにスイッチアドレスを割り当ててＳＷＵ記憶部３６に記憶する割当部３３２と、スイッチ素子３４１の操作に応じて当該スイッチ素子３４１に対応するスイッチアドレスに基づいて監視制御装置１１と通信を行って当該スイッチ素子３４１に対応する照明機器５０１の点消灯を指示すると共に、スイッチ素子３４１の操作に応じて表示部３８の発光素子３８１を点消灯する信号処理部３３１とを備える。
【００３２】
ＳＷＵ記憶部３６は、スイッチユニット１３の制御を行うスイッチユニット制御プログラム、切替部３７の設定に応じてスイッチ素子３４１−１〜３４１−８のそれぞれにスイッチアドレスを割り当てる割当プログラム等の各種プログラム、及び、アドレス設定情報等の各種プログラムの実行に必要なデータやその実行中に生じるデータ等の各種データを記憶する。アドレス設定情報は、スイッチ素子３４１と当該スイッチ素子３４１に割り当てられたスイッチアドレスとの対応関係を示す情報であり、スイッチ素子３４１ごとに生成される。
【００３３】
切替部３７は、スイッチ素子３４１−１〜３４１−８のそれぞれに設定するスイッチアドレスをスイッチ素子３４１−１〜３４１−８の一方向の並び順で設定するか一方向の並び順とは逆順で設定するかを切替える回路である。切替部３７は、例えば、接点ａの電気的な接続を接点ｂ及び接点ｃのうちの何れか一方に切替えるスイッチ素子３７１と、抵抗素子３７２、３７３とを備え、スイッチ素子３７１の接点ａは、接地され、スイッチ素子の接点ｂは、ＳＷＵ制御部３３の入力ポートＰ１に接続されると共に抵抗素子３７２を介して駆動電源Ｖｃｃに接続され、スイッチ素子の接点ｃは、ＳＷＵ制御部３３の入力ポートＰ２に接続されると共に抵抗素子３７３を介して駆動電源Ｖｃｃに接続される回路である。スイッチ素子３７１は、例えば、スライドスイッチやトグルスイッチ等である。
【００３４】
このようなスイッチユニット１３は、構造的に、例えば、図４に示すように、ボディ４１と、カバー４２と、化粧カバー４３と、ネームシート４４と、銘板４５とを備えて構成される。
【００３５】
略平板状のボディ４１は、スイッチユニット１３の基台となるもので、基台本体４１−１と回路基板４１−２とを備えて構成される。回路基板４１−２は、図３を用いて説明した上述のＳＷＵ通信端子部３１、ＳＷＵ送受信部３２、ＳＷＵ制御部３３、入力部３４、リセット部３５、ＳＷＵ記憶部３７、切替部３７及び表示部３８の各回路を搭載したプリント配線基板である。回路基板４１−２上には、入力部３４の各スイッチ素子３４１−１〜３４１−８が一方向に順に所定の間隔で配設されており、そして、この各スイッチ素子３４１−１〜３４１−８に対応するように発光素子３８１−１〜３８１−８が一方向に順に所定の間隔で配設されている。基台本体４１−１は、例えば樹脂製で、回路基板４１−２が略収納し得る厚さを有する前面開口の略直方体状をしている。基台本体４１−１の底面には、第１の実施形態では、後述の図６（Ｂ）及び（Ｄ）を参照すると分かるように、ＳＷＵ通信端子部３１の各端子３１−１、３１−２に通信線５０６を接続可能とするための接続孔と、切替部３７における切替スイッチ３７１の操作つまみ３７１１を外部から操作可能とするための操作孔とが開口形成されている。
【００３６】
カバー４２は、ボディ４１の開口を覆うと共に、弾性変形することにより各スイッチ素子３４１−１〜３４１−８をそれぞれ押圧する複数の操作片４２２−１〜４２２−８を有するもので、樹脂材料で略平板状に形成されている。操作片４２２は、略Ｌ字形状で、その一方端部を残してカバー４２から切り離されることによって片持ちで弾性変形するようにされており、その他方端部にはカバー４２の前面より前方に多少突出する凸部が形成されている。即ち、操作片４２２の前方からこの凸部に押圧力を作用させるとスイッチ素子３４１を操作することができ、操作片４２２の凸部からこの押圧力を解除すると弾性によって操作片４２２が元の位置に復帰するようにされている。また、カバー４２には、回路基板４１−２の各発光素子３８１−１〜３８１−８がそれぞれ露出する複数のカバー表示孔４２１−１〜４２１−８が形成されている。そして、カバー４２は、取付片４２３−１〜４２３−４（取付片４２３−２及び４２３−４は不図示）によりボディ４１に取り付けられる。
【００３７】
化粧カバー４３は、カバー４２の前面にあってスイッチユニット１３を化粧するもので、樹脂材料で略平板状に形成され、カバー４２に着脱自在に取り付けられる。図５も参照すると分かるように、化粧カバー４３には、各操作片４２２−１〜４２２−８のそれぞれに対応する位置に開口する複数の挿通口４３６−１〜４３６−８を有すると共に、各カバー表示孔４２１−１〜４２１−８のそれぞれに対応する位置に開口する複数の化粧カバー表示孔４３１−１〜４３１−８を有する。そして、化粧カバー４３の前面には、ネームシート４４の略厚さ分だけ前面の面より一段低くなった凹部４３４が化粧カバー４３の長尺方向にその長辺を合わせた長方形状で形成されている。そして、注目すべきは、この凹部４３４の両端にテーパ４３５−１、４３５−２をそれぞれ有する略矩形形状の２個のネームシート挿入口４３２−１、４３２−２が開口形成されていることである。
【００３８】
ネームシート４４は、各スイッチ素子３４１−１〜３４１−８の区別をするもので、樹脂材料で長方形形状の略シート状に形成される。ネームシート４４には、各スイッチ素子４３１−１〜４３１−８のそれぞれに対応する複数の区画４４２−１〜４４２−８を設けるために区分線４４１−１〜４４１−７が記載されており、各区画４４２−１〜４４２−８に文字等をそれぞれ記載することにより各スイッチ素子３４１−１〜３４１−８の区別が表記される。
【００３９】
銘板４５は、化粧カバー４３の前面にあって化粧すると共に各操作片４２２−１〜４２２−８を操作可能なように保護するもので、樹脂材料で略シート状に形成され、化粧カバー４３に接着剤等で取り付けられる。銘板４５は、各操作片４２２−１〜４２２−８のそれぞれに対応する位置に厚み方向に可撓性を有する略円形形状の複数の操作丘部４５３−１〜４５３−８を有する。この操作丘部４５３は、銘板４５の前面の面より多少突出するように周部に段差を有する。そして、銘板４５は、各化粧カバー表示孔４３１−１〜４３１−８のそれぞれに対応する位置に表示窓４５１−１〜４５１−８を有する。この表示窓４５１は、発光素子３８１からの光が透過するように透明又は半透明に形成される。また、銘板４５は、ネームシート４４に対応する位置であってネームシート４４の各区分４４２−１〜４４２−８のそれぞれに対応する位置に複数のネーム窓４５２−１〜４５２−８を有する。このネーム窓４５２は、ネームシート４４に記載された文字が外部から判読可能なように略透明に形成される。
【００４０】
次に、本実施形態の動作について説明する。
（第１の実施形態の動作）
図６は、第１の実施形態に係るスイッチユニットにおけるスイッチアドレスの設定を説明するための図である。図６（Ａ）は、スイッチユニットの正面図であり、図６（Ｂ）は、図６（Ａ）の場合におけるスイッチユニットの背面図である。図６（Ｃ）は、図６（Ａ）に対し上下を逆にした場合におけるスイッチユニットの正面図であり、図６（Ｄ）は、図６（Ｃ）の場合におけるスイッチユニットの背面図である。
【００４１】
例えば、施工者は、図１に示すように、照明機器５０１、監視制御装置１１、リモコンリレー１２、スイッチユニット１３及び通信線５０６を用いて監視制御システム１を配設する。図１及び図６（Ａ）に示すように、スイッチ素子３４１−１〜３４１−８をそれぞれ操作するための操作丘部４５３−１〜４５３−８が上から下の一方向で右側に並ぶように、スイッチユニット１３を例えば壁等に配設し、ネームシート４４をシート挿入口４３２−１から挿入する。ネームシート４４は、化粧カバー４３の凹部４３４によって形成される化粧カバー４３と銘板との間の隙間に挿入され、化粧カバー４３と銘板とによって保持される。そして、スイッチ素子３４１−１〜３４１−８のそれぞれに１〜８のスイッチアドレスを割り当てる場合には、図６（Ｂ）に示すように、切替部３７におけるスイッチ素子３７１の操作つまみ３７１１を上に切替える。
【００４２】
この操作つまみ３７１１の切替えによって、スイッチ素子３７１の接点ａは、接点ｂに接続され、ＳＷＵ制御部３３の入力ポートＰ１には、ローレベルの信号が入力され、入力ポートＰ２には、ハイレベルの信号が入力される。
【００４３】
これらの信号に応じてＳＷＵ制御部３３の割当部３３２は、スイッチ素子３４１−１〜３４１−８のそれぞれに１〜８のスイッチアドレスを割り当て、この対応関係をアドレス設定情報としてＳＷＵ記憶部３６に記憶する。
【００４４】
このようにスイッチ素子３４１−１〜３４１−８のそれぞれに１〜８のスイッチアドレスが割り当てられた場合に、操作丘部４５３−１が押し操作されると、操作片４２２−１が弾性変形してスイッチ素子３４１−１が操作され、その入力操作がスイッチ素子３４１−１からＳＷＵ制御部３３に入力される。この入力に応じてＳＷＵ制御部３３は、図１０（Ｂ）で示すように、スタートパルス信号ＳＴに同期した割り込み信号Ｖｉを監視制御装置１１に送信する。
【００４５】
この割り込み信号Ｖｉを受信すると、監視制御装置１１のＳＣ制御部２８は、モードデータ信号ＭＤをアドレス確認モードに設定した信号を通信線５０６に送信することにより、この割り込み信号Ｖｉを発生させたスイッチユニット１３を検出してアクセスする。これによりスイッチユニット１３のＳＷＵ制御部３３は、スイッチ素子３４１−１に対応するスイッチアドレス１をＳＷＵ記憶部３６のアドレス設定情報から検索し、この検索したスイッチアドレス１を用いて監視データ信号を返信する。
【００４６】
この返信を受信すると、監視制御装置１１のＳＣ制御部２８は、返信に含まれるスイッチアドレス１に対応する負荷アドレス１（回路番号１）をＳＣ記憶部２９のアドレス情報から検索し、この検索した負荷アドレス１（回路番号１）に対応するリレー処理部２７−１を制御情報に基づいて現在の動作状態とは逆の動作状態となるように動作させる。これによりリレー処理部２７−１から制御信号がリモコンリレー１２に出力され、リモコンリレー１２−１が動作することによって照明機器５０１−１が点消灯する。例えば、照明機器５０１−１が消灯状態であれば、点灯することになる。
【００４７】
また、このスイッチユニット１３の配設状態で、スイッチ素子３４１−１〜３４１−８のそれぞれに８〜１のスイッチアドレスを割り当てる場合には、図６（Ｂ）に破線で示すように、切替部３７におけるスイッチ素子３７１の操作つまみ３７１１を下に切替える。
【００４８】
この操作つまみ３７１１の切替えによって、スイッチ素子３７１の接点ａは、接点ｃに接続され、ＳＷＵ制御部３３の入力ポートＰ１には、ハイレベルの信号が入力され、入力ポートＰ２には、ローレベルの信号が入力される。
【００４９】
これらの信号に応じてＳＷＵ制御部３３の割当部３３２は、スイッチ素子３４１−１〜３４１−８のそれぞれに８〜１のスイッチアドレスを割り当て、この対応関係をアドレス設定情報としてＳＷＵ記憶部３６に記憶する。
【００５０】
このようにスイッチ素子３４１−１〜３４１−８のそれぞれに８〜１のスイッチアドレスが割り当てられた場合に、操作丘部４５３−８が押し操作されると、スイッチユニット１３及び監視制御装置１１が上述と同様に動作することにより、照明機器５０１−１が点消灯する。
【００５１】
このように本発明に係るスイッチユニット１３は、背景技術のように設定ツールを用いることなく、切替部３７のスイッチ素子３７１を切替えるだけで、簡易にまた容易に、スイッチ素子３４１−１〜３４１−８のそれぞれに１〜８のスイッチアドレス又は８〜１のスイッチアドレスを選択的に割り当てることができる。
【００５２】
一方、図１の※及び図６（Ｃ）に示すように、スイッチ素子３４１−８〜３４１−１をそれぞれ操作するための操作丘部４５３−８〜４５３−１が上から下の一方向で左側に並ぶように、スイッチユニット１３を例えば壁等に配設し、ネームシート４４をシート挿入口４３２−２から挿入する。ネームシート４４は、化粧カバー４３の凹部４３４によって形成される化粧カバー４３と銘板との間の隙間に挿入され、化粧カバー４３と銘板とによって保持される。そして、スイッチ素子３４１−８〜３４１−１のそれぞれに１〜８のスイッチアドレスを割り当てる場合には、図６（Ｄ）に示すように、切替部３７におけるスイッチ素子３７１の操作つまみ３７１１を上に切替える。
【００５３】
この操作つまみ３７１１の切替えによって、スイッチ素子３７１の接点ａは、接点ｃに接続され、ＳＷＵ制御部３３の入力ポートＰ１には、ハイレベルの信号が入力され、入力ポートＰ２には、ローレベルの信号が入力される。
【００５４】
これらの信号に応じてＳＷＵ制御部３３の割当部３３２は、スイッチ素子３４１−１〜３４１−８のそれぞれに８〜１のスイッチアドレスを割り当て、この対応関係をアドレス設定情報としてＳＷＵ記憶部３６に記憶する。
【００５５】
このようにスイッチ素子３４１−８〜３４１−１のそれぞれに１〜８のスイッチアドレスが割り当てられた場合に、操作丘部４５３−８が押し操作されると、スイッチユニット１３及び監視制御装置１１が上述と同様に動作することにより、照明機器５０１−１が点消灯する。
【００５６】
このように本発明に係るスイッチユニット１３は、１つで、操作丘部４５３−１〜４５３−８が右側に一列に並ぶように配設することも、操作丘部４５３−８〜４５３−１が左側に並ぶように一列に配設することもでき、何れの配設方法でも上から順にスイッチアドレスをスイッチ素子３４１に割り当てることができる。そして、上下にネームシート挿入口４３２−１、４３２−２が形成され２方向からネームシート４４を挿入可能としているので、上記何れの配設方法でも上からネームシート４４を挿入することができ、楽に挿入することができる。また、テーパ４３５−１、４３５−２を備えるので、化粧カバー４３の凹部４３４によって形成される化粧カバー４３と銘板との間の隙間に容易に挿入することができる。
【００５７】
また、特に、右利きで操作丘部４５３を操作する場合には、操作丘部４５３−１〜４５３−８が右側に一列に並ぶようにスイッチユニット１３を配設した方が表示窓４５１及びネーム窓４５２を見ながら操作することができるので、所望の照明機器５０１が点消灯するように操作丘部４５３を確実に操作することができる。そして、左利きで操作丘部４５３を操作する場合には、操作丘部４５３−１〜４５３−８が左側に一列に並ぶようにスイッチユニット１３を配設した方が表示窓４５１及びネーム窓４５２を見ながら操作することができるので、所望の照明機器５０１が点消灯するように操作丘部４５３を確実に操作することができる。このように本発明に係るスイッチユニット１３は、１つで、右利き用にも左利き用にも対応することができる。
【００５８】
次に、別の実施形態について説明する。
（第２の実施形態の構成）
第１の実施形態は、スイッチ素子３４１−１〜スイッチ素子３７１−８のそれぞれにその並び順に従った１〜８のスイッチアドレスを割り当てるか、又は、スイッチ素子３４１−１〜スイッチ素子３７１−８のそれぞれにその並び順とは逆順で１〜８のスイッチアドレスを割り当てるかを、切替部３７の設定によって決定したが、第２の実施形態は、ＳＷＵ通信端子部の端子数を３個として通信線５０６における一対の信号線が接続するこの端子の組み合わせによって決定する実施形態である。
【００５９】
よって、第２の実施形態に係る監視制御システムは、図１に示すスイッチユニット１３の代わりに第２の実施形態に係るスイッチユニット１５を用いる点を除き、第１の実施形態に係る監視制御システム１と同様である。このため、第２の実施形態に係る監視制御装置、リモコンリレー、照明機器及び通信線は、第１の実施形態に係る監視制御装置１１、リモコンリレー１２、照明機器５０１及び通信線５０６とそれぞれ同様であるので、その説明を省略する。
【００６０】
図７は、第２の実施形態に係るスイッチユニットの電気的な構成を示すブロック図である。スイッチユニット１５は、操作者によって操作（オンオフ操作）等が行われると共に照明機器５０１の点消灯状態を表示する監視制御システムの操作端末器である。スイッチユニット１５は、例えば、図７に示すように、ＳＷＵ通信端子部５１と、ＳＷＵ送受信部５２と、ＳＷＵ制御部５３と、入力部５４と、リセット部５５と、ＳＷＵ記憶部５６と、表示部５８とを備えて構成される。上記のように第１の実施形態のスイッチユニット１３と第２の実施形態のスイッチユニット１５とでは、スイッチアドレスの割り当て方を指定する方法が異なるだけなので、第２の実施形態に係る入力部５４、リセット部５５、ＳＷＵ記憶部５６及び表示部５８は、第１の実施形態に係る入力部３４、リセット部３５、ＳＷＵ記憶部３６及び表示部３８とそれぞれ同様であるので、その説明を省略する。
【００６１】
ＳＷＵ通信端子部５１は、監視制御装置１１に接続する通信線５０６における一対の信号線を接続するための端子であると共に、スイッチアドレスの割り当て方を指定するものであり、３個の端子５１−１、５１−２、５１−３を備えて構成される。ＳＷＵ送受信部５２は、通信線５０６を介して監視制御装置１１と通信を行う回路であり、ＳＷＵ制御部５３からのデータに基づいて上記フォーマットの信号を生成して通信線５０６へ送出すると共に、通信線５０６からの上記フォーマットの信号をＳＷＵ制御部５３が処理可能な形式のデータに変換する。ＳＷＵ送受信部５２は、通信線５０６の一対の信号線がＳＷＵ通信端子部５１の端子５１−１、５１−２に接続されている場合には、入出力ポートＱ１、Ｑ２を用いてＳＷＵ通信端子部５１の端子５１−１、５１−２と信号を入出力すると共に、入出力ポートＲ１、Ｒ２を用いてＳＷＵ制御部５３の入出力ポートＰ３、Ｐ４とデータを入出力する。一方、ＳＷＵ送受信部５２は、通信線５０６の一対の信号線がＳＷＵ通信端子部５１の端子５１−２、５１−３に接続されている場合には、入出力ポートＱ２、Ｑ３を用いてＳＷＵ通信端子部５１の端子５１−２、５１−３と信号を入出力すると共に、入出力ポートＲ２、Ｒ３を用いてＳＷＵ制御部５３の入出力ポートＰ４、Ｐ５とデータを入出力する。
【００６２】
ＳＷＵ制御部５３は、例えばマイクロプロセッサ及びその周辺回路を備えて構成され、スイッチユニット１５における各部の当該機能に応じた制御を司るもので、機能的に、データが入力される入出力ポートＰ３、Ｐ４、Ｐ５の組合せに応じてスイッチ素子３４１−１〜３４１−８のそれぞれにスイッチアドレスを割り当ててＳＷＵ記憶部５６に記憶するアドレス設定部５３２と、スイッチ素子３４１の操作に応じてスイッチ素子３４１に対応するスイッチアドレスに基づいて監視制御装置１１と通信を行って照明機器５０１の点消灯を指示すると共に、スイッチ素子３４１の操作に応じて表示部３８の発光素子３８１を点消灯する信号処理部５３１とを備える。
【００６３】
そして、このようなスイッチユニット１５の構造は、回路基板４１−２に上述のＳＷＵ通信端子部５１、ＳＷＵ送受信部５２、ＳＷＵ制御部５３、入力部５４、リセット部５５、ＳＷＵ記憶部５６及び表示部５８の各回路を搭載した点、及び、基台本体４１−１の底面には後述の図８（Ｂ）及び（Ｄ）を参照すると分かるように、ＳＷＵ通信端子部５１の各端子５１−１〜５１−３に通信線５０６を接続可能とするための接続孔が開口形成されている点を除き、図４を用いて説明した第１の実施形態に係るスイッチユニット１３の構造と同様であるので、その説明を省略する。
【００６４】
次に、本実施形態の動作について説明する。
（第２の実施形態の動作）
図８は、第２の実施形態に係るスイッチユニットにおけるスイッチアドレスの設定を説明するための図である。図８（Ａ）は、スイッチユニットの正面図であり、図８（Ｂ）は、図８（Ａ）の場合におけるスイッチユニットの背面図である。図８（Ｃ）は、図８（Ａ）に対し上下を逆にした場合におけるスイッチユニットの正面図であり、図８（Ｄ）は、図８（Ｃ）の場合におけるスイッチユニットの背面図である。
【００６５】
例えば、施工者は、図１に示すように、照明機器５０１、監視制御装置１１、リモコンリレー１２、スイッチユニット１５及び通信線５０６を用いて監視制御システム１を配設する。図１及び図８（Ａ）に示すように、スイッチ素子３４１−１〜３４１−８をそれぞれ操作するための操作丘部４５３−１〜４５３−８が上から下の一方向で右側に並ぶように、スイッチユニット１５を例えば壁等に配設し、ネームシート４４をシート挿入口４３２−１から挿入する。そして、スイッチ素子３４１−１〜３４１−８のそれぞれに１〜８のスイッチアドレスを割り当てる場合には、図８（Ｂ）に示すように、ＳＷＵ通信端子部５１の端子５１−１、５１−２に通信線５０６における一対の信号線を接続する。
【００６６】
この通信線５０６の接続によって、通信線５０６からの信号は、ＳＷＵ通信端子部５１の端子５１−１、５１−２から入出力ポートＱ１、Ｑ２に入力され、上記処理が施されて入出力ポートＲ１、Ｒ２からＳＷＵ制御部５３の入出力ポートＰ３、Ｐ４に入力される。入出力ポートＰ３、Ｐ４から通信線５０６からの信号に基づくデータが入力されることによって、ＳＷＵ制御部５３のアドレス設定部５３２は、スイッチ素子３４１−１〜３４１−８のそれぞれに１〜８のスイッチアドレスを割り当て、この対応関係をアドレス設定情報としてＳＷＵ記憶部５６に記憶する。
【００６７】
このようにスイッチ素子３４１−１〜３４１−８のそれぞれに１〜８のスイッチアドレスが割り当てられた場合に、操作丘部４５３−１が押し操作されると、スイッチユニット１５及び監視制御装置１１が第１の実施形態と同様に動作することにより、照明機器５０１−１が点消灯する。
【００６８】
また、このスイッチユニット１５の配設状態で、スイッチ素子３４１−１〜３４１−８のそれぞれに８〜１のスイッチアドレスを割り当てる場合には、図８（Ｂ）に破線で示すように、ＳＷＵ通信端子部５１の端子５１−２、５１−３に通信線５０６における一対の信号線を接続する。
【００６９】
この通信線５０６の接続によって、通信線５０６からの信号は、ＳＷＵ通信端子部５１の端子５１−２、５１−３から入出力ポートＱ２、Ｑ３に入力され、上記処理が施されて入出力ポートＲ２、Ｒ３からＳＷＵ制御部５３の入出力ポートＰ４、Ｐ５に入力される。入出力ポートＰ４、Ｐ５から通信線５０６からの信号に基づくデータが入力されることによって、ＳＷＵ制御部５３のアドレス設定部５３２は、スイッチ素子３４１−１〜３４１−８のそれぞれに８〜１のスイッチアドレスを割り当て、この対応関係をアドレス設定情報としてＳＷＵ記憶部５６に記憶する。
【００７０】
このようにスイッチ素子３４１−１〜３４１−８のそれぞれに８〜１のスイッチアドレスが割り当てられた場合に、操作丘部４５３−８が押し操作されると、スイッチユニット１５及び監視制御装置１１が第１の実施形態と同様に動作することにより、照明機器５０１−１が点消灯する。
【００７１】
このように本発明に係るスイッチユニット１５は、背景技術のように設定ツールを用いることなく、通信線５０６における一対の信号線を接続する通信端子部５１の端子５１−１〜５１−３の組合せを変更するだけで、簡易にまた容易に、スイッチ素子３４１−１〜３４１−８のそれぞれに１〜８のスイッチアドレス又は８〜１のスイッチアドレスを選択的に割り当てることができる。
【００７２】
一方、図１の※及び図８（Ｃ）に示すように、スイッチ素子３４１−８〜３４１−１をそれぞれ操作するための操作丘部４５３−８〜４５３−１が上から下の一方向で左側に並ぶように、スイッチユニット１３を例えば壁等に配設し、ネームシート４４をシート挿入口４３２−２から挿入する。そして、ＳＷＵ通信端子部５１の端子５１−２、５１−３に通信線５０６における一対の信号線を接続する。
【００７３】
この通信線５０６の接続によって、通信線５０６からの信号は、ＳＷＵ通信端子部５１の端子５１−２、５１−３から入出力ポートＱ２、Ｑ３に入力され、上記処理が施されて入出力ポートＲ２、Ｒ３からＳＷＵ制御部５３の入出力ポートＰ４、Ｐ５に入力される。入出力ポートＰ４、Ｐ５から通信線５０６からの信号に基づくデータが入力されることによって、ＳＷＵ制御部５３のアドレス設定部５３２は、スイッチ素子３４１−１〜３４１−８のそれぞれに８〜１のスイッチアドレスを割り当て、この対応関係をアドレス設定情報としてＳＷＵ記憶部５６に記憶する。
【００７４】
このようにスイッチ素子３４１−８〜３４１−１のそれぞれに１〜８のスイッチアドレスが割り当てられた場合に、操作丘部４５３−８が押し操作されると、スイッチユニット１５及び監視制御装置１１が第１の実施形態と同様に動作することにより、照明機器５０１−１が点消灯する。
【００７５】
このように本発明に係るスイッチユニット１５は、１つで、操作丘部４５３−１〜４５３−８が右側に一列に並ぶように配設することも、操作丘部４５３−１〜４５３−８が左側に並ぶように一列に配設することもでき、何れの配設方法でも上から順にスイッチアドレスをスイッチ素子３４１に割り当てることができる。また、スイッチユニット１５は、１つで、右利き用にも左利き用にも対応することができる。そして、上下にネームシート挿入口４３２−１、４３２−２が形成され２方向からネームシート４４を挿入可能としているので、上記何れの配設方法でも上からネームシート４４を挿入することができ、楽に挿入することができる。また、テーパ４３５−１、４３５−２を備えるので、化粧カバー４３の凹部４３４によって形成される化粧カバー４３と銘板との間の隙間に容易に挿入することができる。
【００７６】
なお、第２の実施形態では、通信線５０６における一対の信号線がＳＷＵ通信端子部５１の端子５１−１、５１−２に接続されるか又はＳＷＵ通信端子部５１の端子５１−２、５１−３に接続されるかに応じて、スイッチ素子５８１−１〜５８１−８のそれぞれに１〜８のスイッチアドレスを割り当てるか又は８〜１のスイッチアドレスを割り当てるかを決定していたが、他の組合せでもよい。例えば、通信線５０６における一対の信号線がＳＷＵ通信端子部５１の端子５１−１、５１−２に接続されるか又はＳＷＵ通信端子部５１の端子５１−１、５１−３に接続されるかに応じて、スイッチ素子５８１−１〜５８１−８のそれぞれに１〜８のスイッチアドレスを割り当て又は８〜１のスイッチアドレスを割り当てるように決定してもよい。
【００７７】
また、第１及び第２の実施形態では、複数のスイッチ素子３８１、５８１は、図１に示すように、縦方向（垂直方向、上下方向）に並べたが、横方向（水平方向、左右方向）に並べてもよい。この場合、スイッチアドレスの割り当て方の指定に応じて、複数のスイッチ素子３８１、５８１のそれぞれに右から左へ順にスイッチアドレスを割り当てたり、左から右へ順にスイッチアドレスを割り当てたりすることとなる。
【図面の簡単な説明】
【００７８】
【図１】実施形態に係る監視制御システムの構成を示す図である。
【図２】実施形態に係る監視制御装置の電気的な構成を示すブロック図である。
【図３】第１の実施形態に係るスイッチユニットの電気的な構成を示すブロック図である。
【図４】第１の実施形態に係るスイッチユニットの分解斜視図である。
【図５】第１の実施形態に係るスイッチユニットにおける化粧カバーの背面図及び背面斜視図である。
【図６】第１の実施形態に係るスイッチユニットにおけるスイッチアドレスの設定を説明するための図である。
【図７】第２の実施形態に係るスイッチユニットの電気的な構成を示すブロック図である。
【図８】第２の実施形態に係るスイッチユニットにおけるスイッチアドレスの設定を説明するための図である。
【図９】非特許文献１に係る照明監視制御システムの構成を示すブロック図である。
【図１０】伝送ユニットとターミナルユニット及びスイッチユニットとの間で送受信される信号の波形図である。
【符号の説明】
【００７９】
１  監視制御システム
１１  監視制御装置
１２  リモコンリレー
１３、１５  スイッチユニット
３１、５１  スイッチユニット通信端子部
３２、５２  スイッチユニット送受信部
３３、５３  スイッチユニット制御部
３４、５４  入力部
３６、５６  スイッチユニット記憶部
３７  切替部
３８  表示部
４３  化粧カバー
４４  ネームシート
４５  銘板
３３１  信号処理部
３３２  割当部
３４１、３７１、５４１  スイッチ素子
３７２、３７３  抵抗素子
３８１、５８１  発光素子
４３２  ネームシート挿入口
４３４  凹部
４３５  テーパ
５３２  アドレス設定部
【図１】
2006254151.tif 000003
【図２】
2006254151.tif 000004
【図３】
2006254151.tif 000005
【図４】
2006254151.tif 000006
【図５】
2006254151.tif 000007
【図６】
2006254151.tif 000008
【図７】
2006254151.tif 000009
【図８】
2006254151.tif 000010
【図９】
2006254151.tif 000011
【図１０】
2006254151.tif 000012